(57)【要約】【課題】  血管等の管状器官内に継続的又は一時的に留置させることができ、ガイドワイヤ外周に沿ってスムーズに移動させることが可能で、血管閉塞具も効率的に留置できるカテーテルを提供する。【解決手段】  このカテーテル１０は、内周を形成する内側樹脂層２２と、この内側樹脂層２２の少なくとも基端部外周に配置された筒状の補強体２３と、内側樹脂層２２の先端部外周に配置された形状記憶合金製のコイル２４と、最外周に配置された外側樹脂層２６とを備えている。そして、形状記憶合金製のコイル２４が屈曲形状に付形されており、それによってカテーテル１０の先端部２１が屈曲形状に付形されている。これによれば、カテーテル１０内周は凹凸が生じずに滑らかな面となるので、カテーテル１０をスムーズに移動させることができ、血管閉塞具も目的箇所に効率的に留置できる。【選択図】  図７
2006218070.tif 000002
【特許請求の範囲】
【請求項１】
チューブ状のカテーテルであって、内周を形成する内側樹脂層と、この内側樹脂層の少なくとも基端部外周に配置された筒状の補強体と、前記内側樹脂層の先端部外周に配置された形状記憶合金製のコイルと、最外周に配置された外側樹脂層とを備え、前記形状記憶合金製のコイルが屈曲形状に付形されており、それによってカテーテルの先端部が屈曲形状に付形されていることを特徴とするカテーテル。
【請求項２】
前記外側樹脂層も、熱処理によって、前記形状記憶合金製のコイルと同じ屈曲形状に付形されている請求項１記載のカテーテル。
【請求項３】
前記内側樹脂層が、フッ素系樹脂からなる請求項１又は２記載のカテーテル。
【発明の詳細な説明】
【技術分野】
【０００１】
本発明は、血管等の管状器官に継続的又は一時的に留置させ、制癌剤等の薬液を注入したり、血管閉塞具等を留置したりするカテーテルに関する。
【背景技術】
【０００２】
近年、血管等の管状器官にカテーテルを挿入して、造影剤、制癌剤等の薬液を投与したり、或いは、カテーテルを通してコイル状の血管閉塞具を留置したりすることが行われている。
【０００３】
すなわち、血管等の管状器官内に細く柔軟なガイドワイヤを先行して挿入し、ガイドワイヤ先端を目的箇所に到達させ、このガイドワイヤ外周に沿ってカテーテルを挿入して目的箇所に到達させた後、ガイドワイヤを引き抜いてカテーテルを管状器官内に留置する。そして、カテーテルの基端から薬液を注入したり、若しくは、カテーテル内を通して血管閉塞具を管状器官内に留置し、管状器官の分岐管の一方を閉塞して、薬液を効果的に投与したりしている。
【０００４】
このようなカテーテルとして、下記特許文献１には、チューブ状のカテーテル本体の少なくとも先端部内周に沿って、コイル又はメッシュチューブからなる付形部材を配置し、前記カテーテル本体の先端部に屈曲形状を付与すると共に、前記付形部材の中心軸線に沿って内腔を確保したことを特徴とするカテーテルが開示されている。
【０００５】
上記カテーテルにおいては、カテーテルの先端部が屈曲形状に付形されているので、その先端部が血管等の内壁に押圧固定される。そのため、カテーテルの先端がずれることがないので、制癌剤等の薬液を目的箇所にのみ投与できる。
【特許文献１】特開２０００−１８５１０２号公報
【発明の開示】
【発明が解決しようとする課題】
【０００６】
しかしながら、上記特許文献１のカテーテルは、カテーテル本体の先端部内周に、コイル又はメッシュチューブが配置されているので、カテーテルの内周は滑らかではなく、凹凸が生じている。
【０００７】
そのため、ガイドワイヤの外周に沿ってカテーテルを移動させる際に、カテーテルが引っ掛かりやすく、カテーテルの内周に沿ってガイドワイヤを移動させる際には、ガイドワイヤが引っ掛かりやすくなり、また、カテーテル内を通して、コイル状の血管閉塞具を管状器官内に留置させる際にも、血管閉塞具が引っ掛かりやすく、カテーテル若しくは血管閉塞具の留置作業に支障をきたす可能性があった。更に、カテーテル内周の凹凸によって、ガイドワイヤの表面にコーティングされた親水性樹脂膜等を削ってしまう可能性もあった。
【０００８】
したがって、本発明の目的は、血管等の管状器官内に継続的又は一時的に留置させることができ、ガイドワイヤの外周に沿ってスムーズに移動させることが可能で、更に、その内周にてガイドワイヤをスムーズに移動させることができ、血管閉塞具も効率的に留置できるカテーテルを提供することにある。
【課題を解決するための手段】
【０００９】
上記目的を達成するため、本発明の第１は、チューブ状のカテーテルであって、内周を形成する内側樹脂層と、この内側樹脂層の少なくとも基端部外周に配置された筒状の補強体と、前記内側樹脂層の先端部外周に配置された形状記憶合金製のコイルと、最外周に配置された外側樹脂層とを備え、前記形状記憶合金製のコイルが屈曲形状に付形されており、それによってカテーテルの先端部が屈曲形状に付形されていることを特徴とするカテーテルを提供するものである。
【００１０】
上記第１の発明によれば、内周を形成する内側樹脂層の外周に形状記憶合金製のコイルが配置されており、カテーテル内周は凹凸が生じずに滑らかな面となるので、ガイドワイヤの外周に沿って、カテーテルをスムーズに移動させることが可能となり、カテーテルの内周に沿ってガイドワイヤをスムーズに移動させることもでき、更に、血管閉塞具もカテーテル内をスムーズに通して、管状器官内の目的箇所に効率的に留置できる。
【００１１】
また、カテーテルの先端部は屈曲形状に付形されているので、カテーテルを目的箇所に到達させたら、ガイドワイヤを引き抜くことにより、カテーテルの先端部が形状復帰して、管状器官の内壁に押圧固定されて、カテーテルを管状器官内に継続的又は一時的に留置させることができる。そのため、薬液投与や血管閉塞具の留置等を、目的箇所に確実かつ効果的に行うことができる。しかも、形状記憶合金製のコイルによって、カテーテルの先端部の屈曲形状が維持されているので、繰り返し使用しても真直ぐに伸びたりせず、常に所定の屈曲形状とすることができ、安定して管状器官内に留置することが可能となる。なお、カテーテルの先端部とは、カテーテルの基端部（カテーテルを使用する際に把持する部分）に対して、その反対側におけるカテーテルの端部近辺を意味し、カテーテルの最先端のみを意味するものではない。
【００１２】
更に、カテーテルの内周は平坦なので、カテーテル内において、ガイドワイヤが滑りやすく、カテーテルにガイドワイヤをスムーズに出し入れ可能となり、ガイドワイヤ及びカテーテルの操作性を向上でき、ガイドワイヤの表面にコーティングされた親水性樹脂膜等を削ってしまうこともなくなる。
【００１３】
また、内側樹脂層の基端部外周、すなわち、カテーテルの基端部側には補強体が配置されているので、血管選択時に必要なトルク伝達性、ねじれ・折れ曲がり等を防止する耐キンク性、挿入時に必要なプッシュアビリティを向上させる。
【００１４】
本発明の第２は、前記第１の発明において、前記外側樹脂層も、熱処理によって、前記形状記憶合金製のコイルと同じ屈曲形状に付形されているカテーテルを提供するものである。
【００１５】
上記第２の発明によれば、形状記憶合金製のコイルのみならず、外側樹脂層も熱処理によって屈曲形状に付形されているので、屈曲形状に付形されたコイルと相俟って、カテーテルの先端部の屈曲形状を安定させることができると共に、ガイドワイヤを引き抜いた際に、カテーテルの先端部の形状復元性をより向上させることができる。
【００１６】
本発明の第３は、前記第１又は第２の発明において、前記内側樹脂層が、フッ素系樹脂からなるカテーテルを提供するものである。
【００１７】
上記第３の発明によれば、内側樹脂層が、摩擦係数の小さいフッ素系樹脂からなるので、カテーテル内にてガイドワイヤをより滑りやすくなり、ガイドワイヤ及びカテーテルの操作性を更に向上させることができる。
【発明の効果】
【００１８】
本発明のカテーテルによれば、内周を形成する内側樹脂層の外周に形状記憶合金製のコイルが配置され、カテーテル内周は凹凸が生じずに滑らかな面となるので、カテーテル及びガイドワイヤをスムーズに移動させることができ、血管閉塞具も目的箇所に効率的に留置できる。また、カテーテルの先端部は、形状記憶合金製のコイルによって屈曲形状とされているので、カテーテルを管状器官内に継続的又は一時的に安定して留置でき、薬液投与や血管閉塞具の留置等を確実かつ効果的に行うことができる。更に、カテーテルの内周は平坦なので、ガイドワイヤが滑りやすく、ガイドワイヤ及びカテーテルの操作性を向上でき、カテーテルの基端部には補強体が配置されているので、プッシュアビリティ等を向上させる。
【発明を実施するための最良の形態】
【００１９】
以下、図１〜８を参照して、本発明のカテーテルの一実施形態を説明する。
【００２０】
図１に示すように、本発明のカテーテル１０は、チューブ形状をなしたカテーテル本体２０と、このカテーテル本体２０の基端に連結されるカテーテルハブ３０とで構成されている。
【００２１】
カテーテルハブ３０は、ポリプロピレン、ナイロン等の合成樹脂で形成され、手で把持しやすいように扁平な形状をなしている。また、カテーテルハブ３０はカテーテル本体２０に連通する導入管３１を有している。この導入管３１は、開口部に向けてその内径がテーパ状に広がっており、後述するガイドワイヤ４０若しくはコイル状の閉塞具を、カテーテル本体２０内に導入するガイドとしての役割を果たす。
【００２２】
カテーテル本体２０は、一定外径で延びるチューブ状をなしており、基端はカテーテルハブ３０と連結している。そして、カテーテル本体２０の先端部２１は、屈曲形状に付形されている。すなわち、カテーテル１０の先端部は、屈曲形状に付形された形状をなしている。
【００２３】
上記カテーテル本体２０は、複数の層が重ねられた多層構造をなしている。図２（便宜上、先端部２１が屈曲していない状態となっている）を併せて参照すると、カテーテル本体２０の内周には、例えば、ポリテトラフルオロエチレン（ＰＴＦＥ）、パーフルオロアルコキシ樹脂（ＰＦＡ）、四フッ化エチレン−六フッ化プロピレン共重合体（ＦＥＰ）、四フッ化エチレン−エチレン共重合体（ＥＴＦＥ）等のフッ素系樹脂や、ポリウレタン、ナイロンエラストマー、ポリエーテルブロックアミド、ポリエチレン、ポリ塩化ビニル、酢酸ビニル等の合成樹脂からなるチューブ状の内側樹脂層２２が配置されている。この内側樹脂層２２には、ＢａＳＯ４、Ｂｉ、Ｗ等の粉末を含有させて、Ｘ線不透過性としてもよい。なお、この実施形態の場合、内側樹脂層２２は、フッ素系樹脂からなっている。
【００２４】
この内側樹脂層２２の外周であって、カテーテル本体２０の基端側には、筒状の補強体２３が配置されている。この補強体２３としては、例えば、ステンレス、Ｗ、Ａｕメッキを施したＷ、Ｎｉ−Ｔｉ合金等の金属からなる金属線材、又はナイロン、ポリエステル等の合成樹脂からなる線材を交互に交差させて形成した、いわゆる編組形状をなしたものや、コイル等からなる。
【００２５】
また、内側樹脂層２２の外周で、カテーテル本体２０の先端部２１側には、形状記憶合金製のコイル２４（以下、コイル２４という）が配置されている。形状記憶合金としては、例えば、Ｎｉ−Ｔｉ合金、Ｎｉ−Ｔｉ−Ｘ（Ｘ＝Ｆｅ、Ｃｕ、Ｖ、Ｃｏ等）合金、Ｃｕ−Ｚｎ−Ｘ（Ｘ＝Ａｌ、Ｆｅ等）合金、Ｃｕ−Ａｌ−Ｎｉ合金等が好ましく使用される。更に、コイル２４は屈曲形状に付形されており、それに伴って、カテーテル本体２０の先端部２１が屈曲形状に付形するようになっている。このコイル２４により、カテーテル本体２０の先端部２１は、適度な柔軟性と、形状復元性との双方を確保している。
【００２６】
また、カテーテル本体２０の先端部２１近傍には、Ｘ線不透過材料からなる環状のマーカー２５が設けられている。これにより、Ｘ線モニター等により、カテーテル１０を挿入した際の位置を視認できる。このマーカー２５としては、例えば、Ｐｔ、Ｐｔ合金、Ｗ、Ａｕメッキを施したＷ、Ａｕ等の金属が好ましく用いられる。なお、このマーカー２５は、カテーテル本体２０の先端面から０．３〜２．０ｍｍ（距離Ａとする）離れて配置されることが好ましく、これによりＸ線造影時のマーカー作用を安定して確保している。
【００２７】
上記内側樹脂層２２、補強体２３、コイル２４、マーカー２５の更に外周には、チューブ状の外側樹脂層２６が被覆されている。この外側樹脂層２６としては、ポリウレタン、ナイロンエラストマー、ポリエーテルブロックアミド、ポリエチレン、ポリ塩化ビニル、酢酸ビニル等の熱収縮性の合成樹脂や、ポリテトラフルオロエチレン（ＰＴＦＥ）、パーフルオロアルコキシ樹脂（ＰＦＡ）、四フッ化エチレン−六フッ化プロピレン共重合体（ＦＥＰ）、四フッ化エチレン−エチレン共重合体（ＥＴＦＥ）等のフッ素系樹脂などが用いられる。また、外側樹脂層２６は、ＢａＳＯ４、Ｂｉ、Ｗ等の粉末を含有させて、Ｘ線不透過性としてもよい。なお、この実施形態の場合、外側樹脂層２６は、上記の合成樹脂からなっている。
【００２８】
更に、外側樹脂層２６の外周には、血管内壁等に対するカテーテル本体２０の潤滑性を向上させたり、血栓をなるべく付着させたりしないように、ポリビニルピロリドン、ポリエチレングリコール、メチルビニルエーテル無水マレイン酸共重合体等の親水性樹脂がコーティングされていることが好ましい。
【００２９】
そして、この実施形態の場合、外側樹脂層２６も熱処理によって、コイル２４と同じ屈曲形状に付形されている。
【００３０】
以上の各構成部材からなるカテーテル本体２０は、図１及び図３に示すように、その先端部２１が屈曲形状に付形された形状をなしている。なお、この実施形態の場合、コイル２４及び外側樹脂層２６の両者によって、カテーテル本体２０の先端部２１が屈曲形状に付形されているが、コイル２４だけで先端部２１を屈曲形状に付形させてもよい。また、カテーテル本体２０の先端部２１は、図４に示すように様々な形状に付形させてもよい。図４（ａ）は、先端部２１がカテーテル本体２０に対して所定角度で斜めに屈曲した形状をなしており、（ｂ）は、（ａ）の先端部２１の更に先端がカテーテル本体２０の基端側に向かって折り返されて屈曲した形状をなしている。図４（ｃ）は、先端部２１がＪ字形に屈曲した形状をなしており、（ｄ）は、（ｃ）の先端部２１の更に先端が折り返されて、Ｊ字形状に屈曲した形状をなしている。更に図４（ｅ）は、先端部２１がループ形状に屈曲した形状をなしている。
【００３１】
次に、本発明のカテーテル１０の製造方法の一例について説明する。
【００３２】
まず、コイル２４を所定の屈曲形状に付形しておく。すなわち、図５（ｂ）に示す、金属等を所定の屈曲形状に付形してなる付形用芯金５０に、コイル２４を被せて、その状態で形状記憶処理を施し、その後、付形用芯金５０を引き抜いて、図５（ａ）に示す屈曲形状をなしたコイル２４を形成する。
【００３３】
次いで、溶かしたフッ素系樹脂に線材を浸漬させ、線材に所定厚さのフッ素系樹脂を被覆させた状態で加熱して、その後芯線を引き抜くことにより、フッ素系樹脂からなるチューブ状の内側樹脂層２２を形成する。
【００３４】
そして、内側樹脂層２２内周にマンドレルを挿入した状態で、内側樹脂層２２外周上において、その基端から軸方向の途中にまで、ステンレス線材等により、補強体２３を編組形状に編み付ける。
【００３５】
次いで、内側樹脂層２２の先端部に、補強体２３に重ならないように、屈曲形状に付形させたコイル２４を被せ、このコイル２４に重ならないように、マーカー２５を被せる。
【００３６】
そして、上記マーカー２５、コイル２４、補強体２３の外径よりも大きい内径を有する熱収縮性の合成樹脂からなるチューブ状の外側樹脂層２６を、マーカー２５、コイル２４、補強体２３の更に外周に被せる。
【００３７】
次いで、ヒーター等の加熱手段によって外側樹脂層２６を加熱して、熱収縮させることにより、外側樹脂層２６を、マーカー２５、コイル２４、補強体２３、内側樹脂層２２の外周に被着させる。
【００３８】
なお、外側樹脂層２６を単一の層とするのではなく、複数のチューブを被覆させてもよい。例えば、基端側に硬い樹脂層を被覆させ、それに隣接させて柔らかい樹脂層を被覆させ、更にそれに隣接させてより柔らかい樹脂層を被覆させるといったように、基端から先端に向かって、徐々に硬さが柔らかくなる樹脂層を段階的に被覆させてもよい。こうすると、カテーテル本体２０の硬さが先端に向けて徐々に柔らかくなり、硬さ勾配をなだらかにできるので、カテーテル１０の耐キンク性やプッシュアビリティを向上できる。また、カテーテル本体２０の先端部２１のみを別の樹脂層、例えば、外側樹脂層２６に比較してより柔軟な樹脂層を被覆させてもよい。
【００３９】
このようにして、外側樹脂層２６を、マーカー２５、コイル２４、補強体２３、内側樹脂層２２の外周に被着させたらマンドレルを抜き出す。そして、カテーテル本体２０の先端部２１を、前述した付形用芯金５０や型枠等によって、所定の屈曲形状に付形させた状態で、ヒーター等の加熱手段により熱処理する。すると外周の外側樹脂層２６が軟化するので、外側樹脂層２６によって形状が拘束されていた、コイル２４が元の屈曲形状に戻ると共に、外側樹脂層２６もコイル２４と同じ屈曲形状に付形されることとなる。こうして、カテーテル本体２０の先端部２１が屈曲形状に付形される。
【００４０】
そして、カテーテル本体２０の基端に、カテーテルハブ３０の先端を挿入して装着し、保護チューブ３２により、その連結部を保護してカテーテル１０が形成される。
【００４１】
なお、上記実施形態の場合、内側樹脂層２２としてフッ素系樹脂を、外側樹脂層２６よして熱収縮性の合成樹脂をそれぞれ選択したが、内側樹脂層２２にナイロン等の合成樹脂を、外側樹脂層２６にフッ素系樹脂層を選択してもよく、組合せは特に限定されない。
【００４２】
次に、本発明のカテーテル１０の使用方法の一例、及び、その作用効果について、図６〜８を参照して説明する。ここでは、カテーテル１０を用いて制癌剤等の薬液を投与する方法について説明する。なお、図６及び図８中、Ｓは皮膚、Ｖは血管である。
【００４３】
また、この際用いられるガイドワイヤ４０としては、公知の各種のものが使用できる。すなわち、超弾性合金や、ステンレスなどからなる芯線に合成樹脂膜を被覆したものや、芯線の外周にコイルを装着し、このコイルの外周を更に合成樹脂膜で被覆したものなどが用いられる。
【００４４】
まず、図６（ａ）に示すように、周知のセルディンガー法により、鞘状のシース４１を、皮膚Ｓを通して血管Ｖ内に挿入する。次に、シース４１の基端からガイドワイヤ４０を挿入し、ガイドワイヤ４０の先端を血管Ｖの目的箇所に到達させて、その後、ガイドワイヤ４０の外周に沿ってカテーテル１０を挿入し移動させて、目的箇所に到達させる。
【００４５】
若しくは、図６（ａ）に示すように、カテーテルハブ３０の導入管３１からガイドワイヤ４０を挿入しておき、ガイドワイヤ４０の外周にカテーテル１０を配置した状態で、ガイドワイヤ４０の先端を少し移動させたら、カテーテル１０を追従させて移動させるという操作を繰り返して、カテーテル１０を目的箇所に到達させてもよい。
【００４６】
この際、本発明のカテーテル１０は、図７に示すように、内側樹脂層２２の外周にコイル２４が配置されており、カテーテル１０内周は凹凸が生じずに滑らかな面となっている。そのため、上述したカテーテルのように、ガイドワイヤ４０がカテーテル１０内で引っ掛かってしまうことがなく、ガイドワイヤ４０の外周に沿って、カテーテル１０をスムーズに移動させることができる。また、ガイドワイヤ４０がカテーテル１０内で引っ掛かってしまうこともないので、カテーテル１０の内周に沿ってガイドワイヤ４０をスムーズに移動させることが可能となる。同様にして図示はしないが、血管閉塞具を留置する場合であっても、血管閉塞具がカテーテル１０内で引っ掛かってしまうことがなく、血管閉塞具をカテーテル１０内にてスムーズに通して、管状器官内の目的箇所に効率的に留置できる。なお、この際、カテーテル１０の先端部２１は、ガイドワイヤ４０の剛性によって直線状に引き伸ばされた状態となっている。
【００４７】
そして、目的箇所にカテーテル１０を留置したら、ガイドワイヤ４０を徐々に引き抜いていく。すると、コイル２４の形状復元力によって、カテーテル１０の先端部が拡張して、その外径が血管Ｖの内径よりも大きくなるため、血管Ｖの内壁に押圧され始める。更に、図６（ｂ）に示すように、ガイドワイヤ４０を完全に引き抜くと、コイル２４が元の屈曲形状に形状復帰して、血管Ｖの内壁に押圧固定される。
【００４８】
このように、カテーテル１０の先端部２１は屈曲形状に付形されているので、カテーテル１０を目的箇所に到達させたら、ガイドワイヤ４０を引き抜くことにより、カテーテル１０の先端部２１が形状復帰して、血管Ｖの内壁に押圧固定されて、カテーテル１０を血管Ｖ内に継続的又は一時的に留置させることができる。そのため、薬液投与や血管閉塞具の留置等を、目的箇所に確実かつ効果的に行うことができる。しかも、コイル２４によって、カテーテル１０の先端部２１の屈曲形状が維持されているので、繰り返し使用しても真直ぐに伸びたりせず、常に所定の屈曲形状とすることができ、安定して血管Ｖ内に留置することが可能となる。
【００４９】
更に、カテーテル１０の内周は平坦なので、カテーテル１０内において、ガイドワイヤ４０が滑りやすく、カテーテル１０にガイドワイヤ４０をスムーズに出し入れ可能となり、ガイドワイヤ４０及びカテーテル１０の操作性を向上でき、ガイドワイヤ４０の表面にコーティングされた親水性樹脂膜等を削ってしまうこともなくなる。
【００５０】
また、内側樹脂層２２の基端部外周、すなわち、カテーテル１０の基端側には、補強体２３が配置されているので、血管選択時に必要なトルク伝達性、ねじれ・折れ曲がり等を防止する耐キンク性、挿入時に必要なプッシュアビリティを向上させる。
【００５１】
更に、この実施形態の場合、外側樹脂層２６も、熱処理によって、コイル２４と同じ屈曲形状に付形されている。そのため、コイル２４のみならず、外側樹脂層２６も熱処理によって屈曲形状に付形されているので、屈曲形状に付形されたコイル２４と相俟って、カテーテル１０の先端部２１の屈曲形状を安定させることができると共に、ガイドワイヤ４０を引き抜いた際に、カテーテル１０の先端部２１の形状復元性をより向上させることができる。
【００５２】
また更に、この実施形態の場合、内側樹脂層２２が、摩擦係数の小さいフッ素系樹脂からなるので、カテーテル１０内にてガイドワイヤ４０をより滑りやすくすることができ、ガイドワイヤ４０及びカテーテル１０の操作性を更に向上可能となる。
【００５３】
上述のようにカテーテル１０の先端部２１を血管Ｖの目的箇所に配置し、ガイドワイヤ４０を完全に引き抜いたら、シース４１も引き抜いて、薬液注入ポート４２を埋め込むこととなる。この薬液注入ポート４２は、合成樹脂又は金属製の円錐台形状の容器４３の上面開口に、注射針等を差し込むことが可能な図示しないゴム膜を備え、容器４３の側壁に薬液流出口４４を設けて構成されている。この薬液流出口４４に、カテーテル１０の切離した基端部を接続して、図８に示すように、皮膚Ｓを切開して薬液注入ポート４２を皮膚Ｓの下部に埋め込こみ、糸等で締め付け固定して、カテーテル１０の留置が終了する。
【００５４】
そして、定期的に制癌剤を投与するときには、図示しない注射器の注射針を、皮膚Ｓを通して、薬液注入ポート４２の図示しないゴム膜に刺し込み、制癌剤が溶解した薬液を薬液注入ポート４２に注入する。薬液は、薬液流出口４４からカテーテル１０内を通り、カテーテル１０の先端開口部から流出して、癌に侵された臓器に選択的に注入させることができる。
【産業上の利用可能性】
【００５５】
本発明は、血管等の管状器官内に継続的又は一時的に留置させることができ、ガイドワイヤの外周に沿ってスムーズに移動させることが可能で、血管閉塞具も効率的に留置できるカテーテルとして利用することができる。
【図面の簡単な説明】
【００５６】
【図１】本発明のカテーテルの一実施形態を示す斜視図である。
【図２】同カテーテルの先端部が付形されていない場合の、先端部付近における断面図である。
【図３】同カテーテルの先端部付近を部分拡大した斜視図である。
【図４】同カテーテルの先端部の様々な屈曲形状であり、（ａ）は斜めに屈曲した形状、（ｂ）は（ａ）の先端部の先端が折り返された形状、（ｃ）はＪ字形に屈曲した形状、（ｄ）は（ｃ）の先端部２１の先端が折り返されてＪ字形状に屈曲した形状、（ｅ）はループ形状に屈曲した形状、をそれぞれ示す説明図である。
【図５】同カテーテルのコイルを示しており、（ａ）はコイルを屈曲させた状態を示す斜視図、（ｂ）はコイルを付形するための付形用芯金を示す斜視図である。
【図６】同カテーテルを体内に留置する例を示しており、（ａ）はシースを用いてガイドワイヤ及びカテーテルを挿入した状態を示す説明図、（ｂ）はガイドワイヤを引き抜いて、カテーテルを留置した状態を示す説明図である。
【図７】同カテーテルを、ガイドワイヤ外周に沿って移動させている状態を示す断面図である。
【図８】同カテーテルに薬液注入ポートを接続して体内に留置した状態を示す説明図である。
【符号の説明】
【００５７】
１０  カテーテル
２０  カテーテル本体
２１  先端部
２２  内側樹脂層
２３  補強体
２４  形状記憶合金製のコイル
２５  マーカー
２６  外側樹脂層
３０  カテーテルハブ
３１  導入管
３２  保護チューブ
４０  ガイドワイヤ
４１  シース
４２  薬液注入ポート
４３  容器
４４  薬液流出口
５０  付形用芯金
Ｓ  皮膚
Ｖ  血管
【図１】
2006218070.tif 000003
【図２】
2006218070.tif 000004
【図３】
2006218070.tif 000005
【図４】
2006218070.tif 000006
【図５】
2006218070.tif 000007
【図６】
2006218070.tif 000008
【図７】
2006218070.tif 000009
【図８】
2006218070.tif 000010